【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
所定の画素ブロック（マクロブロック）単位で動き予測をすることによる予測符号化、及び、所定の画素ブロック（直交変換ブロック）単位で直交変換をすることによる圧縮符号化をした第１の解像度の圧縮画像データから、上記第１の解像度より低い第２の解像度の動画像データを復号する画像復号装置において、
飛び越し走査に対応した直交変換方式（フィールド直交変換モード）により直交変換がされた上記圧縮画像データの直交変換ブロックに対して、逆直交変換をする第１の逆直交変換手段と、
順次走査に対応した直交変換方式（フレーム直交変換モード）により直交変換がされた上記圧縮画像データの直交変換ブロックに対して、逆直交変換をする第２の逆直交変換手段と、
上記第１の逆直交変換手段又は上記第２の逆直交変換手段により逆直交変換がされた圧縮画像データと動き補償がされた参照画像データとを加算して、第２の解像度の動画像データを出力する加算手段と、
上記加算手段から出力される動画像データを参照画像データとして記憶する記憶手段と、
上記記憶手段が記憶している参照画像データのマクロブロックに対して動き補償をする動き補償手段とを備え、
上記第２の逆直交変換手段は、上記直交変換ブロックの全周波数成分の係数に対して逆直交変換をし、逆直交変換をした直交変換ブロックの各画素を飛び越し走査に対応した２つの画素ブロックに分離し、分離した２つの画素ブロックに対してそれぞれ直交変換をし、直交変換をした２つの画素ブロックの各係数のうち低周波成分の係数に対して逆直交変換をし、逆直交変換をした２つの画素ブロックを合成して直交変換ブロックを生成することを特徴とする画像復号装置。
【請求項２】
上記加算手段から出力された動画像データに対してポストフィルタリングを施し、動画像を構成する画面の画枠を変換するとともにトップフィールドとボトムフィールドとの間の位相ずれを補正する画枠変換位相補正手段を備えることを特徴とする請求項１に記載の画像復号装置。
【請求項３】
上記動き補償手段は、飛び越し走査に対応した動き予測方式（フィールド動き予測モード）により動き予測がされた参照画像データのマクロブロックに対して動き補償をする第１の動き補償手段と、順次走査に対応した動き予測方式（フレーム動き予測モード）により動き予測がされた参照画像データのマクロブロックに対して動き補償をする第２の動き補償手段とからなり、上記第１の動き補償手段及び上記第２の動き補償手段は、上記記憶手段が記憶している参照画像データのマクロブロックの各画素に対して補間をすることにより、上記記憶手段が記憶している参照画像データに対して１／４画素精度の画素から構成されるマクロブロックを生成し、この生成したマクロブロックに対して動き補償をすることを特徴とする請求項１に記載の画像復号装置。
【請求項４】
上記第１の動き補償手段及び上記第２の動き補償手段は、上記記憶手段が記憶している参照画像データのマクロブロックの水平方向の各画素に対して２倍補間をし、２倍補間をした各画素に対して線形補間をすることによって、上記記憶手段が記憶している参照画像データに対して水平方向が１／４画素精度の画素から構成されるマクロブロックを生成することを特徴とする請求項３に記載の画像復号装置。
【請求項５】
上記第１の動き補償手段及び上記第２の動き補償手段は、上記記憶手段が記憶している参照画像データのマクロブロックの水平方向の各画素に対して４倍補間することによって、上記記憶手段が記憶している参照画像データに対して水平方向が１／４画素精度の画素から構成されるマクロブロックを生成することを特徴とする請求項３に記載の画像復号装置。
【請求項６】
上記第１の動き補償手段は、上記記憶手段が記憶している参照画像データのマクロブロックの垂直方向の各画素に対して、１つのフィールド内で２倍補間をし、１つのフィールド内で２倍補間をした各画素に対して線形補間をすることによって、上記記憶手段が記憶している参照画像データに対して垂直方向が１／４画素精度の画素から構成されるマクロブロックを生成することを特徴とする請求項３に記載の画像復号装置。
【請求項７】
上記第１の動き補償手段は、上記記憶手段が記憶している参照画像データのマクロブロックの垂直方向の各画素に対して４倍補間をすることによって、上記記憶手段が記憶している参照画像データに対して垂直方向が１／４画素精度の画素から構成されるマクロブロックを生成することを特徴とする請求項３に記載の画像復号装置。
【請求項８】
上記第２の動き補償手段は、上記記憶手段が記憶している参照画像データのマクロブロックの垂直方向の各画素に対して、１つのフィールド内で２倍補間をし、１つのフィールド内で２倍補間をした各画素に対してトップフィールドとボトムフィールドとの間で線形補間をすることによって、上記記憶手段が記憶している参照画像データに対して垂直方向が１／４画素精度の画素から構成されるマクロブロックを生成することを特徴とする請求項３に記載の画像復号装置。
【請求項９】
上記第１の動き補償手段及び第２の動き補償手段は、ハーフバンドフィルタを用いて上記記憶手段が記憶している参照画像データのマクロブロックの各画素に対して補間をすることによって、上記記憶手段が記憶している参照画像データに対して１／４画素精度の画素から構成されるマクロブロックを生成することを特徴とする請求項３に記載の画像復号装置。
【請求項１０】
上記第１の動き補償手段及び第２の動き補償手段は、上記記憶手段が記憶している参照画像データのマクロブロックの各画素に対して補間をするためのフィルタのタップ数を、所定単位毎に切り換えて、上記記憶手段が記憶している参照画像データに対して１／４画素精度の画素から構成されるマクロブロックを生成することを特徴とする請求項３に記載の画像復号装置。
【請求項１１】
上記第２の動き補償手段は、上記記憶手段が記憶している参照画像データのマクロブロックの各画素に対して、トップフィールドとボトムフィールドとの間で補間をすることによって、上記記憶手段が記憶している参照画像データに対して１／４画素精度の画素から構成されるマクロブロックを生成することを特徴とする請求項３に記載の画像復号装置。
【請求項１２】
所定の画素ブロック（マクロブロック）単位で動き予測をすることによる予測符号化、及び、所定の画素ブロック（直交変換ブロック）単位で直交変換をすることによる圧縮符号化をした第１の解像度の圧縮画像データから、上記第１の解像度より低い第２の解像度の動画像データを復号する画像復号方法において、
飛び越し走査に対応した直交変換方式（フィールド直交変換モード）により直交変換がされた上記圧縮画像データの直交変換ブロックに対して、逆直交変換をし、
順次走査に対応した直交変換方式（フレーム直交変換モード）により直交変換がされた上記圧縮画像データの直交変換ブロックに対して、逆直交変換をし、
逆直交変換がされた圧縮画像データと動き補償がされた参照画像データとを加算し、
加算して得られた動画像データを参照画像データとして記憶し、
記憶している参照画像データのマクロブロックに対して動き補償をし、
フレーム直交変換モードにより直交変換がされた上記直交変換ブロックの全周波数成分の係数に対して逆直交変換をし、逆直交変換をした直交変換ブロックの各画素を飛び越し走査に対応した２つの画素ブロックに分離し、分離した２つの画素ブロックに対してそれぞれ直交変換をし、直交変換をした２つの画素ブロックの各係数のうち低周波成分の係数に対して逆直交変換をし、逆直交変換をした２つの画素ブロックを合成して直交変換ブロックを生成することを特徴とする画像復号方法。
【手続補正２】
【補正対象書類名】明細書
【補正対象項目名】００２９
【補正方法】変更
【補正の内容】
【００２９】
【課題を解決するための手段】
本発明に係る画像復号装置は、所定の画素ブロック（マクロブロック）単位で動き予測をすることによる予測符号化、及び、所定の画素ブロック（直交変換ブロック）単位で直交変換をすることによる圧縮符号化をした第１の解像度の圧縮画像データから、上記第１の解像度より低い第２の解像度の動画像データを復号する画像復号装置において、飛び越し走査に対応した直交変換方式（フィールド直交変換モード）により直交変換がされた上記圧縮画像データの直交変換ブロックに対して、逆直交変換をする第１の逆直交変換手段と、順次走査に対応した直交変換方式（フレーム直交変換モード）により直交変換がされた上記圧縮画像データの直交変換ブロックに対して、逆直交変換をする第２の逆直交変換手段と、上記第１の逆直交変換手段又は上記第２の逆直交変換手段により逆直交変換がされた圧縮画像データと動き補償がされた参照画像データとを加算して、第２の解像度の動画像データを出力する加算手段と、上記加算手段から出力される動画像データを参照画像データとして記憶する記憶手段と、上記記憶手段が記憶している参照画像データのマクロブロックに対して動き補償をする動き補償手段とを備え、上記第２の逆直交変換手段は、上記直交変換ブロックの全周波数成分の係数に対して逆直交変換をし、逆直交変換をした直交変換ブロックの各画素を飛び越し走査に対応した２つの画素ブロックに分離し、分離した２つの画素ブロックに対してそれぞれ直交変換をし、直交変換をした２つの画素ブロックの各係数のうち低周波成分の係数に対して逆直交変換をし、逆直交変換をした２つの画素ブロックを合成して直交変換ブロックを生成することを特徴とする。
【手続補正３】
【補正対象書類名】明細書
【補正対象項目名】００３９
【補正方法】変更
【補正の内容】
【００３９】
本発明に係る画像復号方法は、所定の画素ブロック（マクロブロック）単位で動き予測をすることによる予測符号化、及び、所定の画素ブロック（直交変換ブロック）単位で直交変換をすることによる圧縮符号化をした第１の解像度の圧縮画像データから、上記第１の解像度より低い第２の解像度の動画像データを復号する画像復号方法において、飛び越し走査に対応した直交変換方式（フィールド直交変換モード）により直交変換がされた上記圧縮画像データの直交変換ブロックに対して、逆直交変換をし、順次走査に対応した直交変換方式（フレーム直交変換モード）により直交変換がされた上記圧縮画像データの直交変換ブロックに対して、逆直交変換をし、逆直交変換がされた圧縮画像データと動き補償がされた参照画像データとを加算し、加算して得られた動画像データを参照画像データとして記憶し、記憶している参照画像データのマクロブロックに対して動き補償をし、フレーム直交変換モードにより直交変換がされた上記直交変換ブロックの全周波数成分の係数に対して逆直交変換をし、逆直交変換をした直交変換ブロックの各画素を飛び越し走査に対応した２つの画素ブロックに分離し、分離した２つの画素ブロックに対してそれぞれ直交変換をし、直交変換をした２つの画素ブロックの各係数のうち低周波成分の係数に対して逆直交変換をし、逆直交変換をした２つの画素ブロックを合成して直交変換ブロックを生成することを特徴とする。